(57)【要約】【課題】商品情報管理装置と、その商品情報管理装置に接続される第ｍ端末との間において、取扱う商品に関する情報を処理する桁数が異なる結果、取扱う商品に関する情報が変化する場合であっても、この変化を検出し異常動作を実施できる商品情報管理装置１００を提供する。【解決手段】商品に関する情報を、複数の桁数のうちｘ桁の情報として、第ｍ端末４００に送信した後、第ｍ端末４００から再度、商品に関する情報を受信する場合、第ｍ端末４００がｘ桁とは異なるｙ桁の情報として商品に関する情報を受信して処理したことにより、（１）送信に係る商品に関する情報と、（２）受信に係る商品に係る情報が、送受信の前後において、異なる情報と判断する場合、異常を示す動作を実施する制御部１０１と、を備える。【選択図】図１
2017220024.tif 000002
【特許請求の範囲】
【請求項１】
予め規定される複数の桁数のうちいずれかの桁数で表現される情報であって、取扱う商品に関する情報を管理する商品情報管理装置であって、
自装置と有線または無線により接続される第１端末から前記第ｎ端末（ｎは自然数）それぞれと、前記商品に関する情報を双方向に通信する通信部と、
前記商品に関する情報を、前記複数の桁数のうちｘ桁（ｘは自然数）の情報として、前記第ｍ端末（ｍはｎ以下の自然数）に送信した後、前記第ｍ端末から再度、前記商品に関する情報を受信する場合、前記第ｍ端末が前記ｘ桁とは異なるｙ桁（ｙは自然数）の情報として前記商品に関する情報を受信して処理したことにより、（１）前記送信に係る前記商品に関する情報と、（２）前記受信に係る前記商品に係る情報が、送受信の前後において、異なる情報と判断する場合、異常を示す動作を実施する制御部と、を備える、商品情報管理装置。
【請求項２】
前記制御部は、（１）前記送信に係る前記商品に関する情報と、（２）前記受信に係る前記商品に係る情報が、送受信の前後において、異なる情報と判断する場合、前記第ｍ端末からのアクセスを制限する、請求項１に記載の商品情報管理装置。
【請求項３】
前記制御部は、前記異なる情報と判断した前記商品に関する情報を利用する処理のみ、前記第ｍ端末からのアクセスを制限する、請求項２に記載の商品情報管理装置。
【請求項４】
前記制御部は、前記受信に係る前記商品に係る情報の桁数が、前記ｘ桁と異なる場合、（１）前記送信に係る前記商品に関する情報と、（２）前記受信に係る前記商品に係る情報とは異なると判断する、請求項１に記載の商品情報管理装置。
【請求項５】
前記制御部は、前記受信に係る前記商品に係る情報のうち、所定の桁数に設定される固有情報が、予め自装置に設定される固有情報と異なる場合、（１）前記送信に係る前記商品に関する情報と、（２）前記受信に係る前記商品に係る情報とは異なると判断する、請求項１に記載の商品情報管理装置。
【発明の詳細な説明】
【技術分野】
【０００１】
本開示は、取扱う商品に関連する情報を管理する装置に関する。
【背景技術】
【０００２】
特許文献１は、商品登録装置であるラベル発行機を開示する。このラベル発行機は、個体識別（ロット）番号等を記憶する。そして、このラベル発行機は、レシートまたはラベル発行時に、記憶する個体識別（ロット）番号を呼び出すとともに、この個体識別（ロット）番号等に対応する商品情報を他の記憶部から読み出してレシートまたはラベル上に商品情報および個体識別（ロット）番号と共に印字する。
【０００３】
これにより、個体識別（ロット）番号をレシートあるいはラベルに印字するようにしたので、商品と個体識別（ロット）番号との対応関係を視認できる。
【先行技術文献】
【特許文献】
【０００４】
【特許文献１】特開2006-309394号公報
【発明の概要】
【発明が解決しようとする課題】
【０００５】
近年、上記のような個体識別（ロット）番号等の管理方法に代えて、複数装置間で個体識別（ロット）番号等を管理する方法が用いられている。この場合、装置間において、個体識別（ロット）番号等を処理する桁数が異なる場合、個体識別（ロット）番号等自体が通信過程によって情報内容が変化する問題があった。
【０００６】
そこで本開示は、商品情報管理装置と、その商品情報管理装置に接続される第ｍ端末との間において、取扱う商品に関する情報を処理する桁数が異なる結果、取扱う商品に関する情報が変化する場合であっても、この変化を検出し異常動作を実施できる商品情報管理装置を提供する。
【課題を解決するための手段】
【０００７】
本開示における商品情報管理装置は、予め規定される複数の桁数のうちいずれかの桁数で表現される情報であって、取扱う商品に関する情報を管理する商品情報管理装置であって、自装置と有線または無線により接続される第１端末から第ｎ端末（ｎは自然数）それぞれと、商品に関する情報を双方向に通信する通信部と、商品に関する情報を、複数の桁数のうちｘ桁（ｘは自然数）の情報として、第ｍ端末（ｍはｎ以下の自然数）に送信した後、第ｍ端末から再度、商品に関する情報を受信する場合、第ｍ端末がｘ桁とは異なるｙ桁（ｙは自然数）の情報として商品に関する情報を受信して処理したことにより、（１）送信に係る商品に関する情報と、（２）受信に係る商品に係る情報が、送受信の前後において、異なる情報と判断する場合、異常を示す動作を実施する制御部と、を備える。
【発明の効果】
【０００８】
本開示における商品情報管理装置は、自装置に接続される第ｍ端末との間において、取扱う商品に関する情報を処理する桁数が異なる結果、取扱う商品に関する情報が変化する場合であっても、この変化を検出し異常動作を実施できる。
【図面の簡単な説明】
【０００９】
【図１】実施形態における商品情報管理装置１００と、第１端末から第ｎ端末それぞれをネットワークに接続した際の状態を示す模式図
【図２】実施形態における商品情報管理装置１００の構成を示すブロック図
【図３】実施形態における商品情報管理装置１００が作成したロット番号を第ｍ端末４００に送信する動作を説明するフローチャート
【図４】実施形態における第ｍ端末４００が商品情報管理装置１００からロット番号を受信し、さらに商品情報管理装置１００に対してロット番号を送信する動作を説明するためのフローチャート
【図５】実施形態における制御部１０１におけるロット番号の変化を検出する動作を説明するためのフローチャート
【発明を実施するための形態】
【００１０】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者らは、当業者が本開示を十分に理解するために添付図面および以下の説明を提供するのであって、これらによって特許請求の範囲に記載の主題を限定することを意図するものではない。
【００１２】
（実施形態）
以下、図１〜５を用いて、実施形態を説明する。
【００１３】
（構成概要）
図１は、実施形態における商品情報管理装置１００と、第１端末から第ｎ端末それぞれをネットワークに接続した際の状態を示す模式図である。
【００１４】
図１に示すように、本実施形態における商品情報管理装置１００は、第１端末２００から第ｎ端末５００と、外部のネットワークを介して接続される。この場合、ネットワークは、イントラネットで構成されても構わないし、インターネット通信網により接続される構成でも構わない。なお、商品情報管理装置１００は、第１端末２００から第ｎ端末５００それぞれに対して、予め規定される通信プロトコルを利用して、双方向に情報を通信できる。この通信プロトコルは、ＩＥＥＥ等により標準化されたプロトコルでも構わないし、独自の伝聞形式で実現されるプロトコルでも構わない。
【００１５】
商品情報管理装置１００は、ネットワークに接続される第１端末２００から第ｎ端末それぞれにおいて処理される商品に関する情報を管理する機能を有する。例えば、商品情報管理装置１００は、第２端末２００から第ｎ端末５００のうちいずれかの端末で処理された結果を実績データとして受け取り、自装置内部に保存する。
【００１６】
また、第２端末２００から第ｎ端末５００は、例えば商品情報が印字されたラベルを発行するラベル発行機、商品に対してフィルムを包装するストレッチフィルム包装機または商品を計量し値付けする計量値付け機等、商品に対して何らかの処理をする装置である。
【００１７】
図２は、実施形態における商品情報管理装置１００の構成を示すブロック図である。
【００１８】
商品情報管理装置１００は、制御部１０１、メモリ１０２、表示部１０３、入力部１０４および通信部１０５を有する。
【００１９】
制御部１０１は、ソフトウェアまたはファームウェアで記載されたコンピュータプログラムにしたがって、商品情報管理装置１００全体を制御する。上記ソフトウェアまたはファームウェアは、メモリ１０２に格納される。
【００２０】
具体的に制御部１０１は、取扱う商品に関する情報を生成し、生成後の情報を管理する機能を有する。例えば、取扱う商品が牛肉である場合、制御部１０１は、当該牛肉を管理する情報であるロット番号を生成する。ここで、ロット番号は、予めの取決めにより、１３桁または１５桁で表現される。ロット番号を処理する桁数は、装置毎に個別に設定される。
【００２１】
なお、上記において、取扱う商品に関する情報を１３桁または１５桁として説明した。しかしながら、上記の桁数に限定されるものではなく、１０桁と２０桁等、どのような桁数の情報であっても構わない。つまり、１つの情報を表現する桁数が複数存在すればどのような情報でも構わない。
【００２２】
ここで、ロット番号は、固有の番号である個体識別番号が割り当てられた国産牛を店頭に陳列する際の包装容器毎に割り当てる番号である。このロット番号は、個体識別番号と対応づけられた状態で記憶される。使用者は、ロット番号を検索することにより、個体識別番号を特定できる。さらに、個体識別番号から、その個体識別番号に対応する国産牛の種類、生産地等を特定できる。
【００２３】
なお、取扱う商品に関する情報は、上記のロット番号に限定されるものではなく、個体識別番号または製造番号等、商品を特定可能な情報であればどのようなものを利用しても構わない。
【００２４】
以下、説明の便宜上、取扱う商品は、牛肉等の食肉とする。さらに、その場合における取扱う商品に関する情報は、ロット番号とする。
【００２５】
また、制御部１０１は、第１端末２００から第ｎ端末５００のいずれかから実績データの一部としてロット番号を、通信部１０５を介して受信した場合、受信に係るロット番号をメモリ１０２に蓄積する。このようにロット番号を蓄積することにより、後日に使用者がロット番号を利用して牛肉を特定できる。なお、メモリ１０２に蓄積されるロット番号は、検索を高速化するようにデータベース形式で保存されていても構わない。また、ロット番号を蓄積する際は、日付または商品を処理した装置を特定する情報等の他の情報と関連させて蓄積させる。
【００２６】
また、商品情報管理装置１００は、通信部１０５を介して受信したロット番号が、通信過程により変更されたか否かを判断する機能を有する。この機能については後述する。
【００２７】
メモリ１０２は、通信部１０５を介して受信したロット番号を記憶する。また、メモリ１０２は、商品情報管理装置１００の処理過程で発生する情報を一時的に記憶する。
【００２８】
表示部１０３は、制御部１０１の処理結果を表示する。表示部１０３は、使用者に対して情報を表示できる機能を有していればよく、例えば液晶ディスプレイまたは有機ＥＬディスプレイ等、どのようなものを利用しても構わない。
【００２９】
入力部１０４は、使用者からの入力操作を受け付ける。入力部１０４は、受付けた入力操作を電気的な信号に変換し、制御部１０１に送信する。制御部１０１は、この信号を受けった場合、当該信号に対応付けられた処理を実行する。これにより、商品情報管理装置１００は、各種機能を実現できる。
【００３０】
通信部１０５は、制御部１０１から情報を受信した場合、当該情報の送信先に関する情報を含めてネットワークに送信する。また、通信部１０５は、他の装置から商品情報管理装置１００宛に送信された情報を受信する。
（動作詳細）
以下、説明の便宜上、商品情報管理装置１００は、ロット番号を１３桁の情報として取扱うとする。一方、第ｍ端末４００は、上記ロット番号を１５桁の情報として取扱うとする。さらに、第ｍ端末４００は、商品情報が印字されるラベルを発行するラベル発行機として説明する。なお、第ｍ端末４００は、上記のようにラベル発行機に限定されるものではなく、取扱う商品を包装するストレッチ包装機や、当該商品を計量し値付けする計量値付け機等、ロット番号を扱う製品であればどのようなものを利用しても構わない。
【００３１】
図３は、実施形態における商品情報管理装置１００が作成したロット番号を第ｍ端末４００に送信する動作を説明するフローチャートである。
【００３２】
（Ｓ３０１）まず使用者は、ラベル発行に係る商品に関する情報を、第ｍ端末４００に設定する。これにより、第ｍ端末４００は、発行するラベルに印字する商品情報を特定できる。
【００３３】
（Ｓ３０２）次に、第ｍ端末４００は、S３０１において使用者が設定した商品情報を、上記ネットワークを介して、商品情報管理装置１００に送信する。
【００３４】
（Ｓ３０３）商品情報管理装置１００は、上記ネットワークを介して、通信部１０５により上記商品情報を受信した場合、当該商品情報に対応する商品のラベル発行において、ロット番号が必要であるか否かを判断する。ロット番号が必要と判断する場合、Ｓ３０２に移行する。一方、ロット番号が不必要と判断する場合、商品情報管理装置１００はそのまま動作を終了する。
【００３５】
なお、制御部１０１は、メモリ１０２に格納される情報に基づき、ロット番号が必要か否かを判断する。この場合、メモリ１０２は、上記商品情報と、これに関連付けられた状態で、ロット番号の発行有無に関する情報が格納される。制御部１０１は、上記商品情報に基づき、当該商品状態に対応するロット番号の発行有無に関する情報を読みだす。そして、読み出した情報に基づき、制御部１０１は、ロット番号の発行有無を切り替える。
【００３６】
（Ｓ３０４）ロット番号が必要と判断する場合、商品情報管理装置１００は、制御部１０１によりロット番号を生成させる。このとき、制御部１０１は、１３桁のロット番号を生成する。例えば、制御部１０１は、「０２６１１８１１１４５００」により表現される１３桁のロット番号を生成する。
【００３７】
（Ｓ３０５）制御部１０１は、Ｓ３０３においてロット番号を生成した場合、予め設定される通信プロトコルを利用し、通信部１０５を介して、当該ロット番号を第ｍ端末４００に送信する。
【００３８】
例えば、ロット番号が１３桁または１５桁のいずれかで表現される場合、所定の通信プロトコルにおいて、１３桁または１５桁のいずれにおいても、ロット番号を、１５桁として送信するように規定されていたとする。この通信プロトコルを用いる場合、制御部１０１は、１３桁のロット番号に対して、不足分の２桁に空白を埋めて送信する。例えば、制御部１０１は、１３桁の上記ロット番号「０２６１１８１１１４５００」を第ｍ端末４００に送信する際、「０２６１１８１１１４５００＿＿」として送信する。ここで、「＿」は、空白を意味する文字記号である。つまり、制御部１０１は、数字部分の１３桁に続いて空白の２桁を追加し、合計１５桁としてロット番号を送信する。
【００３９】
次に、図面を参照しながら、第ｍ端末４００がロット番号を受信し、再度、商品情報管理装置１００にロット番号を実績データとして送信する動作を説明する。
【００４０】
図４は、実施形態における第ｍ端末４００が商品情報管理装置１００からロット番号を受信し、さらに商品情報管理装置１００に対してロット番号を送信する動作を説明するためのフローチャートである。
【００４１】
（Ｓ４０１）第ｍ端末４００は、商品情報管理装置１００から、予め設定される通信プロトコルを用いて１５桁の情報として送信されるロット番号を受信した際、当該１５桁の情報から自装置で認識する実際のロット番号を取得する。例えば、商品情報管理装置１００から上記ロット番号「０２６１１８１１１４５００＿＿」が送信された場合、このロット番号に含まれる数字部分「０２６１１８１１１４５００」を取得する。このとき、第ｍ端末４００は、ロット番号を１５桁として取扱う。そのため、第ｍ端末４００が受信するロット番号は、数字部分が１３桁であるため、残り２桁を所定の数字で埋めることにより、１５桁のロット番号として認識する。例えば、第ｍ端末４００は、「０２６１１８１１１４５００」の上２桁に「００」を追加した「０００２６１１８１１１４５００」を実施に認識するロット番号として取得する。
【００４２】
なお、上記のようにロット番号の取扱う桁数が機器間で異なる場合、ロット番号の認識方法は機器に依存する。例えば、ロット番号を１５桁の情報として取扱う機器が、１３桁のロット番号を受信した場合、上記のように受信したロット番号の接頭に「００」を付加して１５桁のロット番号とする動作が考えられる。一方、機器によっては、ロット番号の接尾に「００」を付加して１５桁のロット番号と認識する動作も考えられる。
【００４３】
（Ｓ４０２）第ｍ端末４００は、認識したロット番号および上記で使用者により特定された商品情報をラベルに印字し、ラベルを発行する。使用者は、第ｍ端末４００から発行されたラベルを商品に貼り付けることにより、商品を店頭等に陳列する。
【００４４】
（Ｓ４０３）第ｍ端末４００は、S４０２においてラベルを発行した場合、ラベルに印字したロット番号を少なくとも含む情報を実績データとして商品情報管理装置１００に対して送信する。例えば、ロット番号を「０００２６１１８１１１４５００」と認識する場合、第ｍ端末４００は、１５桁のロット番号「０００２６１１８１１１４５００」を商品情報管理装置１００に対して送信する。なお、実績データには、例えば、ラベルを発行した日付に関する情報および自装置を特定する情報等の情報を含む構成でも構わない。
【００４５】
（Ｓ４０４）商品情報管理装置１００は、通信部１０５を介して、第ｍ端末４００から送信された１５桁のロット番号を受信する。制御部１０１は、ロット番号を１３桁として処理するため、受信した１５桁のロット番号を先頭から順に１３桁読み込む。例えば、第ｍ端末４００が１５桁のロット番号「０００２６１１８１１１４５００」を送信する場合、制御部１０１は、１３桁のロット番号「０００２６１１８１１１４５」を実際のロット番号として認識する。
【００４６】
上記のように、商品情報管理装置１００と第ｍ端末４００において、ロット番号を処理する桁数が異なる場合、同じロット番号を送信しているにも関わらず、装置に設定された桁数に従ってロット番号が処理されることにより、異なるロット番号に変化する。例えば、商品情報管理装置１００はロット番号「０２６１１８１１１４５００」を第ｍ端末４００対して送信し、再度第ｍ端末４００から当該ロット番号を受信した場合、商品情報管理装置１００はロット番号「０００２６１１８１１１４５」を認識する。
【００４７】
そのため、このように機器間においてロット番号を処理する桁数が異なる場合、その変化を検出する機能が必要となる。
【００４８】
次に、通信部１０５を介して受信したロット番号の変化を検出する動作について図面を参照しながら説明する。
【００４９】
図５は、制御部１０１におけるロット番号の変化を検出する動作を説明するためのフローチャートである。
【００５０】
（Ｓ５０１）制御部１０１は、通信部１０５を介して、第ｍ端末４００からロット番号を受信したか否かを判断する。制御部１０１は、通信部１０５を介してロット番号を受信した場合、Ｓ５０２に移行する。制御部１０１は、通信部１０５を介してロット番号を受信しない場合、そのままロット番号の受信動作を継続する。
【００５１】
（Ｓ５０２）制御部１０１は、第ｍ端末４００からロット番号を受信した場合、当該受信した１５桁のロット番号の下２桁が空白であるか否かを判断する。空白である場合、S５０３に進む。一方、空白でない場合、Ｓ５０４に進む。
【００５２】
（Ｓ５０３）制御部１０１は、受信した１５桁のロット番号の下２桁が空白である場合、受信した１５桁のロット番号から、空白を除く１３桁のロット番号を取得する。これにより、制御部１０１は、送信前と変更がないロット番号を再度受信できる。
【００５３】
（Ｓ５０４）一方、制御部１０１は、受信した１５桁のロット番号の下２桁が空白でない場合、受信した１５桁のロット番号は送信前のロット場合から変更されていると判断し、異常を示す動作を実施する。
【００５４】
例えば、制御部１０１は、ロット番号が変更されている旨を表示部１０３に表示する。これにより、使用者はロット番号が変更されている旨を認識できる。また、制御部１０１は、第ｍ端末４００からの通信アクセスを制限する。つまり、制御部１０１は、第ｍ端末４００から送信される情報を一切受信できないように制御する。このように構成することにより、この変更されたロット番号よりも後、さらに、ロット番号が発行できない状態となる。これにより、第ｍ端末４００はラベルが発行できない状態とできる。よって、間違ったロット番号が店頭に陳列する行為を予防できる。
【００５５】
また、制御部１０１は、異常を示す動作として、第ｍ端末４００におけるロット番号を利用する機能のみを制限する。つまり、第ｍ端末４００から情報が送信された際、上記ロット番号に関する場合にのみアクセスを遮断する。一方、第ｍ端末４００から情報が送信された際、上記ロット番号には関連しない場合、そのままアクセス可能とする。
【００５６】
なお、上記において、制御部１０１は、１３桁のロット番号の上２桁を固定の情報としてロット番号を生成する場合、制御部１０１は、第ｍ端末４００から送信され受信する１５桁のロット番号の上２桁によりロット番号の変更を判断できる。つまり、制御部１０１は、ロット番号の上２桁を「０２」として生成する場合、第ｍ端末４００が送信するロット番号を受信した後、受信したロット番号の上２桁が「０２」であるか否かを判断する。制御部１０１は、ロット番号の上２桁が「０２」である場合、ロット番号は変更されていないと判断する。一方、制御部１０１は、ロット番号の上２桁が「０２」ではない「場合、ロット番号は変更されていると判断する。この場合、制御部１０１は、上記Ｓ５０１およびＳ５０２の動作と組合せて上記判断を実施しても構わない。
【００５７】
（まとめ）
以上のように、本実施形態において、商品情報管理装置１００は、予め規定される複数の桁数のうちいずれかの桁数で表現されるロット番号を管理する商品情報管理装置１００であって、自装置と有線または無線により接続される第１端末２００から第ｎ端末５００それぞれと、ロット番号を双方向に通信する通信部１０５と、ロット番号を、１３桁（ｘは自然数）の情報として１５桁のロット番号として変換し、第ｍ端末４００（ｍはｎ以下の自然数）に送信した後、第ｍ端末４００から再度、ロット番号を受信する場合、第ｍ端末４００が１３桁とは異なる１５桁の情報として商品に関する情報を受信して処理したことにより、（１）送信に係るロット番号と、（２）受信にロット番号が、送受信の前後において、異なるロット番号と判断する場合、異常を示す動作を実施する制御部１０１と、を備える。
【００５８】
また、本実施形態における制御部１０１は、（１）送信に係るロット番号と、（２）受信に係るロット番号が、送受信の前後において、異なるロット番号と判断する場合、第ｍ端末４００からのアクセスを制限する。
【００５９】
また、本実施形態における制御部１０１は、異なるロット番号と判断した商品に関する情報を利用する処理のみ、第ｍ端末４００からのアクセスを制限する。
【００６０】
また、本実施形態における制御部１０１は、受信したロット番号の桁数が、１３桁と異なる場合、（１）送信に係るロット番号と、（２）受信に係るロット番号とは異なると判断する。
【００６１】
また、本実施形態における制御部１０１は、受信したロット番号のうち、所定の桁数に設定される固有情報が、予め自装置に設定される固有情報と異なる場合、（１）送信に係るロット番号と、（２）受信に係るロット番号とは異なると判断する。
【００６２】
（他の実施形態）
以上のように、本出願において開示する技術の例示として、上記実施形態を説明した。しかしながら、本開示における技術は、これに限定されず、適宜、変更、置き換え、付加、省略などを行った実施形態にも適用可能である。
【００６３】
本実施形態では、取扱う商品に関する情報の一例としてロット番号を説明した。しかしながら、取扱う商品に関する情報は、商品を特定する情報であればよい。したがって、取扱う商品に関する情報は、ロット番号に限定されない。例えば、取扱う商品に関する情報は、牛肉の母体である牛を特定する個体識別番号でも構わない。また、取扱う商品に関する情報は、当該商品を製造する際に付与される製造番号でも構わない。
【００６４】
本実施形態では、所定の通信プロトコルの一例として、送信に係る情報の末尾に空白を追加する方法を説明した。しかしながら、通信プロトコルは、ネットワークに接続される機器間で認識可能な伝聞であればどのようなものを利用しても構わない。例えば、送信に係る情報の接頭部分に空白を追加する方法でも構わない。
【００６５】
本実施形態では、商品情報管理装置１００はロット番号を１３桁の情報として処理し、第ｍ端末４００はロット番号を１５桁の情報として処理する構成を説明した。しかしながら、例えば、商品情報管理装置１００はロット番号を１５桁の情報として処理し、第ｍ端末４００はロット番号を１３桁の情報として処理する構成でも構わない。つまり、商品情報管理装置１００において処理する情報の桁数と、第１端末２００から第ｎ端末５００において同じ情報を処理する際の桁数が異なれば構わない。
【００６６】
以上のように、本開示における技術の例示として、実施形態を説明した。そのために、添付図面および詳細な説明を提供した。
【００６７】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６８】
また、上述の実施形態は、本開示における技術を例示するためのものであるから、特許請求の範囲またはその均等の範囲において種々の変更、置き換え、付加、省略などを行うことができる。
【産業上の利用可能性】
【００６９】
本開示は、取扱う商品に関する情報を管理する商品情報管理装置に適用可能である。具体的には、牛肉を包装し店頭に陳列する際に付与されるロット番号の管理などに、本開示は適用可能である。
【符号の説明】
【００７０】
１００  商品情報管理装置
１０１  制御部
１０２  メモリ
１０３  表示部
１０４  入力部
１０５  通信部
２００  第１端末
３００  第２端末
４００  第ｍ端末
５００  第ｎ端末
【図１】
2017220024.tif 000003
【図２】
2017220024.tif 000004
【図３】
2017220024.tif 000005
【図４】
2017220024.tif 000006
【図５】
2017220024.tif 000007